(57)【要約】【課題】ユーザに関心地点情報を提供する。【解決手段】コンテンツ情報取得部４２は、端末装置のユーザが視聴、聴取または閲覧したコンテンツに関する情報を取得する。ＰＯＩ情報導出部４５は、当該コンテンツを過去に視聴、聴取または閲覧した複数の人の移動経路情報にもとづいて関心地点（ＰＯＩ）情報を導出する。ＰＯＩ情報は、複数の人が訪れた重複領域内のＰＯＩ座標を含む。ＰＯＩ情報提供部４６は、ユーザの端末装置に、ＰＯＩ情報を提供する。【選択図】図３
2020135312.tif 000002
【特許請求の範囲】
【請求項１】
端末装置のユーザが視聴、聴取または閲覧したコンテンツに関する情報を取得する取得部と、
当該コンテンツを過去に視聴、聴取または閲覧した複数の人の移動経路情報にもとづいて導出された関心地点情報を、当該ユーザの端末装置に提供する提供部と、
を備えることを特徴とする情報提供装置。
【発明の詳細な説明】
【技術分野】
【０００１】
本発明は、ユーザに関心地点情報を提供する技術に関する。
【背景技術】
【０００２】
特許文献１は、ユーザの現在位置が通常の行動範囲内に存在するか否かに応じて、ユーザに推薦するべき情報を決定する情報処理装置を開示する。この情報処理装置は、ユーザの現在位置が通常の行動範囲内であれば、当該ユーザと行動傾向が類似する他のユーザの行動傾向にもとづいて推薦情報を決定し、現在位置が通常の行動範囲内でなければ、全ユーザの行動傾向にもとづいて推薦情報を決定する。推薦情報は、施設や地点などの情報を含む。
【先行技術文献】
【特許文献】
【０００３】
【特許文献１】特開２０１７−４５２５２号公報
【発明の概要】
【発明が解決しようとする課題】
【０００４】
スマートフォンなどの端末装置が普及したことにより、ユーザは、音楽、動画、小説、漫画、テレビ番組やラジオ番組などのコンテンツを自由に楽しめるようになっている。コンテンツには、特定の地域や場所に関係したり、特定の地域や場所をユーザに想起させるものが存在する。本発明者は、コンテンツが人の行動に与える影響に着目して、ユーザが興味をもつ可能性のある地点情報を提供する技術を考案した。
【０００５】
本発明はこうした状況に鑑みてなされたものであり、その目的は、ユーザに関心地点情報を提供することにある。
【課題を解決するための手段】
【０００６】
上記課題を解決するために、本発明のある態様の情報提供装置は、端末装置のユーザが視聴、聴取または閲覧したコンテンツに関する情報を取得する取得部と、当該コンテンツを過去に視聴、聴取または閲覧した複数の人の移動経路情報にもとづいて導出された関心地点情報を、当該ユーザの端末装置に提供する提供部とを備える。
【０００７】
この態様によると、ユーザが視聴、聴取または閲覧したコンテンツと同じコンテンツを過去に視聴、聴取または閲覧した複数の人の実際の移動経路情報から導出される関心地点情報を、当該ユーザに提供できる。
【発明の効果】
【０００８】
本発明によれば、ユーザが興味をもつ可能性のある地点情報をユーザに提供できる。
【図面の簡単な説明】
【０００９】
【図１】実施形態の情報処理システムの概要を示す図である。
【図２】端末装置の機能ブロックを示す図である。
【図３】ＰＯＩ情報提供装置の機能ブロックを示す図である。
【図４】移動経路領域を特定するフローチャートである。
【図５】移動経路から特定される移動経路領域を示す図である。
【図６】コンテンツ特定情報と移動経路領域とを対応付けた移動経路領域ＤＢの例を示す図である。
【図７】ＰＯＩ情報を導出するフローチャートである。
【図８】複数のユーザの移動経路の例を示す図である。
【図９】複数の移動経路領域の例を示す図である。
【図１０】特定された重複領域の例を示す図である。
【図１１】コンテンツ特定情報にＰＯＩ情報を対応付けたＰＯＩ情報ＤＢの例を示す図である。
【図１２】ＰＯＩ情報を提供するフローチャートの一例である。
【図１３】ＰＯＩ情報を提供するフローチャートの別の例である。
【発明を実施するための形態】
【００１０】
図１は、実施形態の情報処理システム１の概要を示す。情報処理システム１は、複数のユーザにより保持される複数の端末装置１０と、ユーザに関心地点情報を提供するＰＯＩ（Point of Interest）情報提供装置４０とを備える。端末装置１０は無線通信機能を有し、基地局である無線局４経由で、インターネットなどのネットワーク２を介してＰＯＩ情報提供装置４０に接続する。
【００１１】
端末装置１０は、ユーザにより選択されたコンテンツの画像および／または音声を出力する機能をもつ。端末装置１０はスマートフォンやタブレットなどの携帯可能なユーザ端末であってよいが、ユーザが運転する車両に搭載された車載端末装置であってもよい。ユーザには、当該ユーザを識別する情報（以下「ユーザＩＤ」と呼ぶ）が割り当てられ、ＰＯＩ情報提供装置４０は、ユーザＩＤを用いて各ユーザを管理する。
【００１２】
図２は、ユーザにより保持される端末装置１０の機能ブロックを示す。端末装置１０は、通信部１１、ＧＰＳ（Global Positioning System）受信機１２、コンテンツ処理部１３、コンテンツ情報送信部１４、位置情報送信部１５、ＰＯＩ情報取得部１６、地図表示部１７および出力部１８を備える。通信部１１は無線局４との間で情報を送受信する無線通信モジュールであり、ＧＰＳ受信機１２は衛星からの信号にもとづいて現在位置を検出する。
【００１３】
出力部１８は、画像出力部および音声出力部を含む。画像出力部はディスプレイ装置であり、液晶パネルや有機ＥＬパネルで構成されてよい。音声出力部は、音声を出力するスピーカおよび／または音声信号をイヤホンやヘッドホンに出力する出力モジュールを含む。音声出力部は、ワイヤレスイヤホンやワイヤレスヘッドホンに音声信号を出力する無線通信モジュールであってもよい。
【００１４】
端末装置１０の各機能は、ハードウェア的には、回路ブロック、メモリ、その他のＬＳＩで構成することができ、ソフトウェア的には、メモリにロードされたシステムソフトウェアやアプリケーションプログラムなどによって実現される。したがって端末装置１０の各機能はハードウェアのみ、ソフトウェアのみ、またはそれらの組合せによっていろいろな形で実現できることは当業者には理解されるところであり、いずれかに限定されるものではない。
【００１５】
コンテンツ処理部１３は、ユーザにより選択されたコンテンツの画像および／または音声を生成して出力部１８から出力させ、ユーザはコンテンツの画像および／または音声を視聴、聴取または閲覧する。コンテンツは、音楽、動画、電子書籍、テレビ番組、ラジオ番組など様々な種類のものを含んでよい。コンテンツ処理部１３は各種コンテンツを出力するアプリケーションを含んで構成され、たとえば音楽再生アプリ、動画再生アプリ、電子書籍表示アプリ、テレビ番組再生アプリ、ラジオ番組再生アプリなどを含んでよい。
【００１６】
コンテンツ情報送信部１４は、端末装置１０のユーザが視聴、聴取または閲覧したコンテンツに関する情報を、ユーザＩＤおよび日時情報とともに、通信部１１からＰＯＩ情報提供装置４０に送信する。コンテンツに関する情報は、少なくともコンテンツを特定するための情報（コンテンツ特定情報）を含み、日時情報は、ユーザがコンテンツを視聴、聴取または閲覧した年月日および時刻を示す。たとえば全てのコンテンツに識別番号（コンテンツＩＤ）が付与されていれば、コンテンツ特定情報はコンテンツＩＤであってよい。そうでない場合、コンテンツ特定情報は、ＰＯＩ情報提供装置４０においてコンテンツを一意に特定できる情報であり、たとえば音楽であればアーティスト名および曲名を少なくとも含み、テレビ番組であれば、放送局、放送日時、番組名を少なくとも含む。
【００１７】
以下、ユーザが「視聴、聴取または閲覧」することを、まとめて「視聴等」と呼び、または単に「視聴」と呼ぶこともある。コンテンツ情報送信部１４は、コンテンツに関する情報を、ユーザが視聴等したタイミングでＰＯＩ情報提供装置４０に送信してよいが、定期的に（たとえば１日１回）まとめて送信してよい。ＰＯＩ情報提供装置４０は、コンテンツに関する情報を収集することで、ユーザのコンテンツ視聴履歴を把握する。
【００１８】
位置情報送信部１５は、ＧＰＳ受信機１２により検出された位置座標および日時情報（以下、「位置情報」と呼ぶ）の履歴を、ユーザＩＤとともに、通信部１１からＰＯＩ情報提供装置４０に送信する。日時情報は、ＧＰＳ受信機１２が現在位置を検出した年月日および時刻を示す。なお位置情報送信部１５は、定期的に位置情報を送信してよいが、所定の条件を満たした場合に、蓄積した位置情報をまとめて送信してもよい。たとえばユーザの自宅を基準位置とし、基準位置である自宅を出発してから帰宅するまでを外出期間と定義した場合、位置情報送信部１５は、外出期間の終了時（要するに帰宅した時）に、外出期間中に蓄積した位置情報をまとめてＰＯＩ情報提供装置４０に送信してよい。ＰＯＩ情報提供装置４０は、位置情報の履歴を収集することで、ユーザの移動経路および移動時間を解析でき、たとえば特定の場所の滞在時間なども把握できる。
【００１９】
図３は、ＰＯＩ情報提供装置４０の機能ブロックを示す。ＰＯＩ情報提供装置４０は、通信部４１、コンテンツ情報取得部４２、位置情報取得部４３、移動経路領域特定部４４、ＰＯＩ情報導出部４５、ＰＯＩ情報提供部４６および記録装置５０を備える。通信部４１はアクセスポイントを介してネットワーク２に接続し、複数の端末装置１０との間で情報を送受信する。
【００２０】
ＰＯＩ情報提供装置４０の各機能は、ハードウェア的には、回路ブロック、メモリ、その他のＬＳＩで構成することができ、ソフトウェア的には、メモリにロードされたシステムソフトウェアやアプリケーションプログラムなどによって実現される。したがってＰＯＩ情報提供装置４０の各機能はハードウェアのみ、ソフトウェアのみ、またはそれらの組合せによっていろいろな形で実現できることは当業者には理解されるところであり、いずれかに限定されるものではない。
【００２１】
コンテンツ情報取得部４２は、通信部１１を介して、端末装置１０のユーザが視聴等したコンテンツに関する情報を取得する。コンテンツに関する情報は、端末装置１０からユーザＩＤおよび日時情報とともに送信されており、コンテンツ情報取得部４２は、ユーザＩＤに紐付けて、コンテンツに関する情報および日時情報を記録装置５０に記録する。このため記録装置５０には、ユーザごとに、コンテンツを視聴等した履歴が記録される。
【００２２】
位置情報取得部４３は、通信部１１を介して、端末装置１０の位置情報の履歴を取得する。位置情報は位置座標および日時情報を含んでおり、位置情報取得部４３は、ユーザＩＤに紐付けて、位置情報を記録装置５０に記録する。このため記録装置５０には、ユーザごとに、移動履歴が記録される。
【００２３】
以上のように記録装置５０は、ユーザごとにコンテンツ視聴履歴および移動履歴を記録する。世の中には様々な種類および内容のコンテンツが存在しているが、コンテンツの中には特定の地域や場所との関係性の強いものがある。たとえば特定の場所への想いが歌詞に込められていたり、また特定の地域を舞台とする映画が存在する。最近では、アニメや漫画の舞台となった土地や建物などを聖地と称して訪問する「聖地巡礼」という言葉がよく聞かれるようになっているが、このことは、地域性の高いコンテンツを視聴等したユーザが、当該地域や場所に少なくとも潜在的に興味をもつ可能性の高いことを示す。そこで本発明者は、複数の人が実際に移動した場所をコンテンツに関連付けて解析することで、ユーザに適切な関心地点（ＰＯＩ）情報を提供する技術を考案した。
【００２４】
実施例では、コンテンツに対応付けられるＰＯＩ情報を導出する前段階として、コンテンツを視聴等した後の各ユーザが移動した経路を特定する。
図４は、コンテンツに対応付けられる移動経路領域を特定する処理フローを示す。以下、ユーザＡのコンテンツ視聴履歴および移動履歴から、視聴等したコンテンツに対応付けられる移動経路領域を特定する処理を示す。ここで聴取した１つのコンテンツとして、アーティスト名がａｂｃ、曲名がｄｅｆである音楽コンテンツ（以下、「音楽タイトルｄｅｆ」と呼ぶ）を例にとる。
【００２５】
移動経路領域特定部４４は、記録装置５０から、ユーザＡが聴取した音楽タイトルｄｅｆに関する情報を取得した（Ｓ１０）後のユーザＡの移動履歴を取得する（Ｓ１１）。つまり移動経路領域特定部４４は、音楽タイトルｄｅｆの聴取日時より後のユーザＡの移動履歴を取得する。
【００２６】
移動履歴では、ユーザが自宅を出発してから帰宅するまでの移動経路（つまり外出したときの移動経路）を１つの移動単位とする。そのため音楽タイトルｄｅｆの聴取後、ユーザＡが複数回の外出を行えば、複数回分の移動経路が抽出される。なおユーザＡが音楽タイトルｄｅｆを聴取した時から所定期間以上が経過すると、その後のユーザＡの行動と、音楽タイトルｄｅｆを聴取したこととの相関は低くなると考えられる。そのため移動経路領域特定部４４は、音楽タイトルｄｅｆを聴取した時から所定期間以内のユーザＡの移動経路を特定することが好ましい。たとえば所定期間は３０日に設定されてよいが、コンテンツごと又はコンテンツのジャンルごとに所定期間が設定されてもよい。
【００２７】
なお通勤する会社員や通学する学生は、１週間のうち何度も同じ移動経路で会社や学校を往復する。このユーザ行動は、コンテンツの視聴等に影響を受けるものではないため、移動経路領域特定部４４は、移動履歴において頻繁に発生する移動経路を、以後の処理に対して除外する（Ｓ１２）。通勤路や通学路を除外することで、コンテンツの視聴等に影響を受けた可能性のある移動経路を絞り込むことができる。移動経路領域特定部４４は、絞り込まれたユーザＡの移動経路から、コンテンツに対応付けられる移動経路領域を特定する（Ｓ１３）。
【００２８】
図５は、移動経路から特定される移動経路領域を示す。移動経路領域特定部４４は、ユーザＡが自宅を出発してから帰宅するまでに通過した位置情報から、移動経路を導出する。移動経路領域特定部４４は、導出した移動経路を取り囲む長方形の移動経路領域を地図上で特定して、４隅の座標を導出する。移動経路領域特定部４４は、移動経路領域の４隅の座標をコンテンツ特定情報に紐付けて、記録装置５０に記録する（Ｓ１４）。
【００２９】
図６は、ユーザごとに、コンテンツ特定情報と移動経路領域とを対応付けた移動経路領域データベース（ＤＢ）の例を示す。ユーザＡが音楽タイトルｄｅｆを聴取してから所定期間（たとえば１ヶ月）の間に、ユーザＡが日常的な移動経路以外の経路で複数回移動していれば、音楽タイトルｄｅｆに対して複数個の移動経路領域が対応付けられる。実施例では、いずれの移動経路領域も、ユーザＡの自宅を始点および終点とした移動経路を取り囲む長方形で画定されるが、別の基準により移動経路領域が画定されてもよい。
【００３０】
図４に示す処理は、コンテンツごと、およびユーザごとに実施される。したがって各ユーザが視聴等したコンテンツに対して、１以上の移動経路領域が設定される。このように複数のユーザが視聴等した複数のコンテンツに移動経路領域が設定されていることを前提として、ＰＯＩ情報導出部４５が、各コンテンツに対応付けられる関心地点情報（以下「ＰＯＩ」情報と呼ぶ）を導出する。ＰＯＩ情報は、コンテンツを視聴等した多くのユーザが実際に訪問した場所であって、まだ訪問したことのないユーザが興味をもつ可能性の高い場所を示す情報である。ＰＯＩ情報導出部４５は、図７に示す手順により、コンテンツに応じたＰＯＩ情報を導出する。
【００３１】
図７は、コンテンツに対応付けられるＰＯＩ情報を導出する処理フローを示す。以下、ＰＯＩ情報導出部４５が、移動経路領域ＤＢに記録された複数ユーザの移動経路領域にもとづいて、音楽タイトルｄｅｆに対応付けられるＰＯＩ情報を導出する。
【００３２】
ＰＯＩ情報導出部４５は、移動経路領域ＤＢから、音楽タイトルｄｅｆに紐付けられた移動経路領域を読み出す。図６に示すように、音楽タイトルｄｅｆに紐付けられた移動経路領域は、音楽タイトルｄｅｆを聴取したユーザごとに存在し、また１人のユーザに対して複数の移動経路領域が存在することもある。ＰＯＩ情報導出部４５は、１つの移動経路領域を移動経路領域ＤＢから読み出し、以前に読み出した移動経路領域と重複するか判定する（Ｓ２１）。移動経路領域を長方形としていることで、ＰＯＩ情報導出部４５は、移動経路領域の重複判定および重複領域の抽出を容易に実施できる。
【００３３】
読み出した移動経路領域が以前に読み出した移動経路領域と重複しない場合（Ｓ２１のＮ）、音楽タイトルｄｅｆに紐付けられた移動経路領域を全て読み出していなければ（Ｓ２４のＮ）、ＰＯＩ情報導出部４５は、移動経路領域ＤＢから、新たな移動経路領域を読み出す（Ｓ２０）。
【００３４】
読み出した移動経路領域が以前に読み出した移動経路領域と重複する場合（Ｓ２１のＹ）、ＰＯＩ情報導出部４５は、重複する領域を特定し（Ｓ２２）、重複領域における重複数Ｎを１増やす（Ｓ２３）。なお以前のＳ２２のステップで、既に重複領域が設定されていれば、ＰＯＩ情報導出部４５は、設定されている重複領域と、読み出した移動経路領域とが重複する領域を特定する。その結果、１００個の移動経路領域により重複領域が構成されると、重複数Ｎは１００となる。音楽タイトルｄｅｆに紐付けられた移動経路領域が全て読み出されるまで（Ｓ２４のＮ）、以上の処理は繰り返し実行される。
【００３５】
図８は、音楽タイトルｄｅｆに関するユーザＡ〜Ｃの移動経路の例を示す。図示するように、各ユーザが自宅を出てから自宅に戻るまでの位置情報を繋ぎ合わせることで、各移動経路が形成される。
図９は、各移動経路から導出された移動経路領域の例を示す。ＰＯＩ情報導出部４５は、複数の移動経路領域が重複する領域を特定する。
図１０は、特定された重複領域の例を示す。この重複領域は、(x_l1, y_l1), (x_l1, y_h1),(x_r1, y_h1),(x_r1, y_l1)の４隅の座標により特定される。
【００３６】
図７に示すＰＯＩ情報導出処理によると、複数の重複領域が特定されることが多いと予想される。音楽タイトルｄｅｆに紐付けられた移動経路領域が全て読み出されると（Ｓ２４のＹ）、ＰＯＩ情報導出部４５は、各重複領域の関心地点（ＰＯＩ）座標を導出する（Ｓ２５）。関心地点座標は、重複領域を代表する座標であり、この重複領域をユーザに推薦する際に、ＰＯＩとして通知される座標である。
【００３７】
ＰＯＩ情報導出部４５は、重複領域の重心座標を、関心地点座標としてよい。またＰＯＩ情報導出部４５は、重複領域を訪れた複数のユーザの各地点における滞在時間から、関心地点座標を定めてよい。重複領域が観光名所である場合、滞在時間が長くなる地点は、歴史的な建物等が存在する地点であると推定される。そこでＰＯＩ情報導出部４５は重複領域の中で、ユーザによる滞在時間の累積値が最も長い地点の座標を、関心地点座標として定めてよい。また別の地図データベース等から、重複領域に含まれる有名スポットの情報が得られる場合、ＰＯＩ情報導出部４５は、有名スポットの座標を、関心地点座標として定めてよい。
【００３８】
ＰＯＩ情報導出部４５は、以上のように重複領域の座標、ＰＯＩ座標および重複数を導出し、記録装置５０におけるＰＯＩ情報ＤＢに記録する。
図１１は、コンテンツ特定情報にＰＯＩ情報を対応付けたＰＯＩ情報ＤＢの例を示す。上記したように重複領域ごとに重複数がカウントされており、図１１に示す例では、重複数の多い順に上から重複領域が並べられている。重複数の多い重複領域は、音楽タイトルｄｅｆを聴取したユーザが最も多く訪れたエリアであることを意味し、したがって音楽タイトルｄｅｆを聴取したことがあるユーザに対して、当該エリアのＰＯＩ座標を推薦することが好ましい。
【００３９】
なお重複領域の面積が小さい場合、ユーザが当該重複領域に行ったとしても、見所が少ないことが考えられる。そこで重複領域の面積が所定値よりも小さい場合は、ＰＯＩ情報導出部４５は、当該重複領域を、ＰＯＩ情報ＤＢに含めないようにしてもよい。一方で、重複領域の面積が小さくても、重複数が非常に多い場合、見所は絞られる代わりに、非常に有名なスポットであることが推定される。そこでＰＯＩ情報導出部４５は、重複数が所定値を超えるような場合や、重複数とコンテンツ視聴者数との比が所定値を超えるような場合に、当該重複領域を、ＰＯＩ情報ＤＢから外さないようにしてもよい。
【００４０】
ＰＯＩ情報提供部４６は、ユーザの視聴履歴をもとに、ＰＯＩ情報ＤＢを参照して、ユーザに推薦するＰＯＩ情報を提供する。たとえばユーザＤの視聴履歴に音楽タイトルｄｅｆが含まれている場合、ＰＯＩ情報提供部４６は、ＰＯＩ情報ＤＢを参照して、音楽タイトルｄｅｆに対応付けられたＰＯＩ情報を読み出し、ユーザＤの端末装置１０に提供してよい。このときＰＯＩ情報提供部４６は、順位の高い方から所定数のＰＯＩ情報を提供することが好ましい。
【００４１】
図１２は、ユーザＤにＰＯＩ情報を提供する処理フローを示す。ＰＯＩ情報提供装置４０において、位置情報取得部４３が、ユーザＤの現在位置を取得する（Ｓ３０）。ＰＯＩ情報提供部４６は、ユーザＤの現在位置の近くにユーザＤに推薦するＰＯＩ情報が存在するか確認する（Ｓ３１）。具体的にＰＯＩ情報提供部４６は、記録装置５０に記録されているユーザＤの視聴履歴に含まれるコンテンツ特定情報を参照して、コンテンツ特定情報に対応付けられたＰＯＩ座標が現在位置の近くであるか確認する。ＰＯＩ情報提供部４６は、現在位置からＰＯＩ座標までが所定距離以内である場合に、ＰＯＩ座標が現在位置の近くであることを判定してよい（Ｓ３１のＹ）。この場合、ＰＯＩ情報提供部４６は、ユーザＤの端末装置１０に、ＰＯＩ情報を提供する（Ｓ３２）。なお視聴履歴に含まれるコンテンツ情報に対応付けられたＰＯＩ座標が現在位置の近くになければ（Ｓ３１のＮ）、ユーザＤの現在位置の近くにＰＯＩ座標が存在するかの確認を継続する（Ｓ３１）。
【００４２】
端末装置１０において、ＰＯＩ情報取得部１６が、ＰＯＩ情報提供装置４０から送信されるＰＯＩ情報を取得する。地図表示部１７は、出力部１８に表示した地図上に、現在位置からＰＯＩ座標までの経路を示す。これによりユーザＤは、過去に聴取した音楽タイトルに関連するＰＯＩ情報を取得でき、当該場所を訪れるチャンスを与えられる。
【００４３】
図１３は、ユーザＤにＰＯＩ情報を提供する別の処理フローを示す。この処理フローでは、ユーザＤがナビゲーションシステムを利用して、最終目的地を設定する。このナビゲーションシステムが、ＰＯＩ情報提供装置４０により提供される場合、ＰＯＩ情報提供装置４０において、位置情報取得部４３が、設定された最終目的地を取得するとともに（Ｓ４０）、ユーザＤの現在位置を取得する（Ｓ４１）。ナビゲーションシステムが、現在地から最終目的地までの経路を設定すると、ＰＯＩ情報提供部４６が、経路の途中に、ユーザに推薦するＰＯＩ情報が存在するか確認する（Ｓ４２）。ＰＯＩ情報が存在する場合（Ｓ４２のＹ）、ＰＯＩ情報提供部４６は、ユーザＤの端末装置に、ＰＯＩ情報を提供する（Ｓ４３）。なおＰＯＩ情報が存在しなければ（Ｓ４２のＮ）、本フローは終了するが、ユーザＤがナビゲーションシステムにより設定された経路から外れた場合は、あらためて図１３の処理フローが実行されてよい。
【００４４】
以上、本発明を実施形態をもとに説明した。本発明は、上述の実施形態に限定されるものではなく、当業者の知識に基づいて各種の設計変更等の変形を加えることも可能である。
【符号の説明】
【００４５】
１・・・情報処理システム、１０・・・端末装置、１１・・・通信部、１２・・・ＧＰＳ受信機、１３・・・コンテンツ処理部、１４・・・コンテンツ情報送信部、１５・・・位置情報送信部、１６・・・ＰＯＩ情報取得部、１７・・・地図表示部、１８・・・出力部、４０・・・ＰＯＩ情報提供装置、４１・・・通信部、４２・・・コンテンツ情報取得部、４３・・・位置情報取得部、４４・・・移動経路領域特定部、４５・・・ＰＯＩ情報導出部、４６・・・ＰＯＩ情報提供部、５０・・・記録装置。
【図１】
2020135312.tif 000003
【図２】
2020135312.tif 000004
【図３】
2020135312.tif 000005
【図４】
2020135312.tif 000006
【図５】
2020135312.tif 000007
【図６】
2020135312.tif 000008
【図７】
2020135312.tif 000009
【図８】
2020135312.tif 000010
【図９】
2020135312.tif 000011
【図１０】
2020135312.tif 000012
【図１１】
2020135312.tif 000013
【図１２】
2020135312.tif 000014
【図１３】
2020135312.tif 000015